(57)【特許請求の範囲】
【請求項１】
クロック管理リソースプールと、電源管理リソースプールと、ベースバンドリソースプールと、ネットワーク交換処理リソースプールとを備える通信装置であって、
前記ベースバンドリソースプールは、ベースバンド処理を実現するように構成され、
前記ネットワーク交換処理リソースプールは、データ交換を実現するように構成され、
前記クロック管理リソースプールは、各リソースプールにクロック信号を提供するように構成され、
前記電源管理リソースプールは、各リソースプールに電源を提供するように構成され、
前記ベースバンドリソースプールは、少なくとも１つのベースバンド処理ユニットを備え、前記クロック管理リソースプールは、少なくとも１つのクロック管理ユニットを備え、前記ネットワーク交換処理リソースプールは、少なくとも１つのネットワーク交換処理ユニットを備え、前記電源管理リソースプールは、少なくとも１つの電源管理ユニットを備え、
各リソースプールは、バックプレーンによって各リソースプールの間の接続を行い、前記ベースバンドリソースプールおよびネットワーク交換処理リソースプールは、同じバックプレーンインターフェースを有し、前記ベースバンドリソースプールおよびネットワーク交換処理リソースプールは、前記バックプレーンインターフェースを介して前記バックプレーンに接続され、前記ベースバンドリソースプールおよびネットワーク交換処理リソースプールのそれぞれは、対応する高速インターフェースを有し、前記高速インターフェースを介して外部機器とのデータ交換を行う、通信装置。
【請求項２】
共通計算リソースプールをさらに備え、
前記共通計算リソースプールは、データ計算を行うように構成され、
前記共通計算リソースプールは、少なくとも１つの計算ユニットを備え、
前記共通計算リソースプールは、バックプレーンによって、クロック管理リソースプール、電源管理リソースプール、ベースバンドリソースプール、およびネットワーク交換処理リソースプールのそれぞれとの間の接続を行い、前記共通計算リソースプールは、前記ベースバンドリソースプールおよび前記ネットワーク交換処理リソースプールと同じバックプレーンインターフェースを有し、前記ベースバンドリソースプール、ネットワーク交換処理リソースプールおよび共通計算リソースプールは、前記バックプレーンインターフェースを介して前記バックプレーンに接続され、前記共通計算リソースプールも、対応する高速インターフェースを有し、前記高速インターフェースを介して外部機器とのデータ交換を行う、請求項１に記載の装置。
【請求項３】
前記クロック管理リソースプールにおけるクロック管理ユニットの数が２以上である場合、前記クロック管理リソースプールにおける各クロック管理ユニットは相互接続され、
前記電源管理リソースプールにおける電源管理ユニットの数が２以上である場合、前記電源管理リソースプールにおける各電源管理ユニットは相互接続され、
前記ベースバンドリソースプールにおけるベースバンド処理ユニットの数が２以上である場合、前記ベースバンドリソースプールにおける各ベースバンド処理ユニットは相互接続され、
前記共通計算リソースプールにおける計算ユニットの数が２以上である場合、前記共通計算リソースプールにおける各計算ユニットは相互接続され、
前記ネットワーク交換処理リソースプールにおけるネットワーク交換処理ユニットの数が２以上である場合、前記ネットワーク交換処理リソースプールにおける各ネットワーク交換処理ユニットは相互接続される、請求項２に記載の装置。
【請求項４】
前記クロック管理リソースプールにおける各クロック管理ユニット、ベースバンドリソースプールにおける各ベースバンド処理ユニット、共通計算リソースプールにおける各計算ユニットおよびネットワーク交換処理リソースプールにおける各ネットワーク交換処理ユニットは、いずれも同じバックプレーンインターフェースを有する、請求項３に記載の装置。
【請求項５】
前記クロック管理リソースプールにおける各クロック管理ユニットは、ネットワーク交換処理ユニットを介して前記各クロック管理ユニットの間の相互接続を行い、前記電源管理リソースプールにおける各電源管理ユニットは、ネットワーク交換処理ユニットを介して前記各電源管理ユニットの間の相互接続を行い、前記ベースバンドリソースプールにおける各ベースバンド処理ユニットは、ネットワーク交換処理ユニットを介して前記各ベースバンド処理ユニットの間の相互接続を行い、前記共通計算リソースプールにおける各計算ユニットは、ネットワーク交換処理ユニットを介して前記各計算ユニットの間の相互接続を行う、請求項３に記載の装置。
【請求項６】
前記高速インターフェースは、共通の公衆無線インターフェースＣＰＲＩまたはイーサネットインターフェースである、請求項１または２に記載の装置。
【請求項７】
前記電源管理リソースプールにおける電源管理ユニットの数は、前記装置全体の電力要求によって決定される、請求項１または２に記載の装置。
【請求項８】
前記ベースバンドリソースプールにおけるベースバンド処理ユニットの数は、前記ベースバンドリソースプールが処理する必要のあるデータ量および前記ベースバンドリソースプール全体の帯域幅要求によって決定される、請求項１に記載の装置。
【請求項９】
前記共通計算リソースプールにおける計算ユニットの数は、前記共通計算リソースプールが処理する必要のあるデータ量および前記共通計算リソースプール全体の帯域幅要求によって決定される、請求項２に記載の装置。
【請求項１０】
前記ネットワーク交換処理リソースプールにおけるネットワーク交換処理ユニットの数は、前記ベースバンドリソースプールと前記共通計算リソースプールとのデータ交換の流量、および前記ネットワーク交換処理リソースプール全体の帯域幅要求によって決定される、請求項２に記載の装置。
【請求項１１】
前記ベースバンド処理ユニットには、少なくとも１つの光モジュールが設けられ、前記ベースバンドリソースプールは、前記ベースバンド処理ユニットの前記少なくとも１つの光モジュールを介して前記外部機器に接続される、請求項１または２に記載の装置。
【請求項１２】
各リソースプールの占有空間のサイズに基づき、少なくとも１つの前記リソースプールを配置するための筐体のパラメータを決定する、請求項１または２に記載の装置。
【請求項１３】
請求項１〜１２のいずれか１項に記載の装置を備える、基地局。
【発明の詳細な説明】
【技術分野】
【０００１】
本開示は、通信技術分野に関し、例えば、大流量と高帯域幅が要求される５Ｇ通信システムに適用可能な通信装置および基地局に関する。
【背景技術】
【０００２】
無線通信技術の発展に伴い、ユーザーは、ビッグデータ、ビデオ伝送、テレビ電話、仮想現実、大容量データ接続および低遅延かつ高信頼性の通信要求もますます高くなり、通信システムの帯域幅に対する要求もますます高くなり、将来、５Ｇ通信の帯域幅要求は１０Ｇｂｐｓ〜２０Ｇｂｐｓに達し、通信システムのエンドツーエンド処理に対する遅延要求もますます高くなる。それと同時に、チップ設計プロセスの進歩に伴い、最初の９０ｎｍから１６ｎｍへ、更に将来の７ｎｍへ進化し、通信機器の集積度はますます高くなる。業界情報技術化（Ｉｎｆｏｒｍａｔｉｏｎ  Ｔｅｃｈｎｏｌｏｇｙ、ＩＴ）のネットワーク機能仮想化（Ｎｅｔｗｏｒｋ  Ｆｕｎｃｔｉｏｎ  Ｖｉｒｔｕａｌｉｚａｔｉｏｎ、ＮＦＶ）およびソフトウェア決定ネットワーク（Ｓｏｆｔｗａｒｅ  Ｄｅｆｉｎｅｄ  Ｎｅｔｗｏｒｋ、ＳＤＮ）は、理想状態に近づきつつある。この場合、基地局通信システムの設計が留まり、且つ、消費電力面積が限られ、ユーザーの使用要求を満たすことができない。
【発明の概要】
【発明が解決しようとする課題】
【０００３】
本開示は、大流量、高帯域幅、低遅延の通信ネットワークに対する使用ニーズを満たすことができる通信装置および基地局を提供する。
【課題を解決するための手段】
【０００４】
本開示は、クロック管理リソースプールと、電源管理リソースプールと、ベースバンドリソースプールと、ネットワーク交換処理リソースプールとを備える通信装置であって、
前記ベースバンドリソースプールは、ベースバンド処理を実現するように構成され、
前記ネットワーク交換処理リソースプールは、データ交換を実現するように構成され、
前記クロック管理リソースプールは、各リソースプールにクロック信号を提供するように構成され、
前記電源管理リソースプールは、各リソースプールに電源を提供するように構成され、
前記ベースバンドリソースプールは、少なくとも１つのベースバンド処理ユニットを備え、前記クロック管理リソースプールは、少なくとも１つのクロック管理ユニットを備え、前記ネットワーク交換処理リソースプールは、少なくとも１つのネットワーク交換処理ユニットを備え、前記電源管理リソースプールは、少なくとも１つの電源管理ユニットを備え、
各リソースプールは、バックプレーンによって各リソースプールの間の接続を行い、前記ベースバンドリソースプールおよびネットワーク交換処理リソースプールは、同じバックプレーンインターフェースを有し、前記ベースバンドリソースプールおよびネットワーク交換処理リソースプールは、前記バックプレーンインターフェースを介して前記バックプレーンに接続され、前記ベースバンドリソースプールおよびネットワーク交換処理リソースプールのそれぞれは、対応する高速インターフェースを有し、前記高速インターフェースを介して外部機器とのデータ交換を行う。
【０００５】
好ましくは、前記クロック管理リソースプールにおけるクロック管理ユニットの数が２以上である場合、前記クロック管理リソースプールにおける各クロック管理ユニットは相互接続され、
前記電源管理リソースプールにおける電源管理ユニットの数が２以上である場合、前記電源管理リソースプールにおける各電源管理ユニットは相互接続され、
前記ベースバンドリソースプールにおけるベースバンド処理ユニットの数が２以上である場合、前記ベースバンドリソースプールにおける各ベースバンド処理ユニットは相互接続され、
前記共通計算リソースプールにおける計算ユニットの数が２以上である場合、前記共通計算リソースプールにおける各計算ユニットは相互接続され、
前記ネットワーク交換処理リソースプールにおけるネットワーク交換処理ユニットの数が２以上である場合、前記ネットワーク交換処理リソースプールにおける各ネットワーク交換処理ユニットは相互接続される。
【０００６】
好ましくは、前記クロック管理リソースプールにおける各クロック管理ユニット、ベースバンドリソースプールにおける各ベースバンド処理ユニット、共通計算リソースプールにおける各計算ユニットおよびネットワーク交換処理リソースプールにおける各ネットワーク交換処理ユニットは、いずれも同じバックプレーンインターフェースを有する。
【０００７】
好ましくは、前記装置がネットワーク交換処理リソースプールを備える場合、前記クロック管理リソースプールにおける各クロック管理ユニットは、ネットワーク交換処理ユニットを介して前記各クロック管理ユニットの間の相互接続を行い、前記電源管理リソースプールにおける各電源管理ユニットは、ネットワーク交換処理ユニットを介して前記各電源管理ユニットの間の相互接続を行い、前記ベースバンドリソースプールにおける各ベースバンド処理ユニットは、ネットワーク交換処理ユニットを介して前記各ベースバンド処理ユニットの間の相互接続を行い、前記共通計算リソースプールにおける各計算ユニットは、ネットワーク交換処理ユニットを介して前記各計算ユニットの間の相互接続を行う。
【０００８】
好ましくは、前記高速インターフェースは、共通の公衆無線インターフェース（Ｃｏｍｍｏｎ  Ｐｕｂｌｉｃ  Ｒａｄｉｏ  Ｉｎｔｅｒｆａｃｅ、ＣＰＲＩ）またはイーサネット（登録商標）インターフェースである。
【０００９】
好ましくは、前記電源管理リソースプールにおける電源管理ユニットの数は、前記装置全体の電力要求によって決定される。
【００１０】
好ましくは、前記ベースバンドリソースプールにおけるベースバンド処理ユニットの数は、前記ベースバンドリソースプールが処理する必要のあるデータ量および前記ベースバンドリソースプール全体の帯域幅要求によって決定される。
【００１１】
好ましくは、前記共通計算リソースプールにおける計算ユニットの数は、前記共通計算リソースプールが処理する必要のあるデータ量および前記共通計算リソースプール全体の帯域幅要求によって決定される。
【００１２】
好ましくは、前記ネットワーク交換処理リソースプールにおけるネットワーク交換処理ユニットの数は、前記ベースバンドリソースプールと前記共通計算リソースプールとのデータ交換の流量、および前記ネットワーク交換処理リソースプール全体の帯域幅要求によって決定される。
【００１３】
前記ベースバンド処理ユニットには、少なくとも１つの光モジュールが設けられ、前記ベースバンドリソースプールは、前記ベースバンド処理ユニットの前記少なくとも１つの光モジュールを介して前記外部機器に接続される。
【００１４】
好ましくは、前記装置における各ユニットの組み合わせ配置方法は、実際適用の要求に応じて予め決定された配置方式である。
【００１５】
好ましくは、前記装置における各リソースプールを配置するための筐体のパラメータは、対応するリソースプールの占有空間のサイズによって決定される。
【００１６】
本開示は、上記いずれか１種の通信装置を具備可能な基地局を更に提供する。
【発明の効果】
【００１７】
本開示に係る通信装置および基地局は、将来の大流量、高帯域幅、低遅延の通信ネットワークに対する使用ニーズを満たすことができる。
【図面の簡単な説明】
【００１８】
【図１】一実施例に係る通信装置の構成模式図である。
【図２】一実施例に係る第１のベースバンドリソースプールの構成図である。
【図３】一実施例に係るベースバンド処理ユニットの構造模式図である。
【図４】一実施例に係る計算ユニットの構造模式図である。
【図５】一実施例に係るクロック管理ユニットの構造模式図である。
【図６】一実施例に係る第１のネットワーク交換処理リソースプールの構成図である。
【図７】一実施例に係るＩＴ−ＢＢＵ集中配置基地局の１つの好ましい構造模式図である。
【図８】一実施例に係る通信装置の構成模式図である。
【図９】一実施例に係る別の通信装置の構成模式図である。
【図１０】一実施例に係る更なる通信装置の構成模式図である。
【図１１】一実施例に係る通信装置のデータ処理方法のフローチャートである。
【発明を実施するための形態】
【００１９】
本実施例は、基地局等のネットワーク側の装置に適用可能な通信装置を提供し、前記装置は、クロック管理リソースプールおよび電源管理リソースプールを備えてもよく、前記装置は、ベースバンドリソースプール、共通計算リソースプールおよびネットワーク交換処理リソースプールの少なくとも１つを更に備えてもよい。
【００２０】
ここで、上述したベースバンドリソースプールは、ベースバンド処理を実現するために用いられ、共通計算リソースプールは、データ計算を行うために用いられ、ネットワーク交換処理リソースプールは、データ交換を実現するために用いられ、例えば、上述した通信装置内部の任意のリソースプールの間のデータ交換および上述した通信装置と外部機器とのデータ交換を実現するために用いられ、例えば、上述した通信装置がベースバンドリソースプール、共通計算リソースプールおよびネットワーク交換処理リソースプールを備える場合、前記ネットワーク交換処理リソースプールは、前記ベースバンドリソースプールと前記共通計算リソースプールとのデータ交換を実現するために使用できる。
【００２１】
上述したクロック管理リソースプールは、各リソースプールにクロック信号を提供するために用いられ、例えば、前記装置におけるクロック管理リソースプール以外の各リソースプールにそれぞれクロック信号を提供するために用いられる。
【００２２】
上述した電源管理リソースプールは、各リソースプールに電源を提供するために用いられ、例えば、前記装置における電源管理リソースプール以外の各リソースプールにそれぞれ電源を提供するために用いられる。
【００２３】
実際の使用において、上述したベースバンドリソースプールはベースバンドリソース処理を行うための少なくとも１つのベースバンド処理ユニットを備え、共通計算リソースプールはデータ計算を行うための少なくとも１つの計算ユニットを備え、クロック管理リソースプールは少なくとも１つのクロック管理ユニットを備え、ネットワーク交換処理リソースプールは少なくとも１つのネットワーク交換処理ユニットを備え、前記電源管理リソースプールは少なくとも１つの電源管理ユニットを備える。
【００２４】
上述した各リソースプールの間はバックプレーンを介して接続されてもよく、例えば、各リソースプールは、対応するバックプレーンに接続され、バックプレーンを介して各リソースプールの間の接続を実現し、データ交換を行うことができる。ここで、ベースバンドリソースプール、共通計算リソースプール、ネットワーク交換処理リソースプールは、同じバックプレーンインターフェースを有し、ベースバンドリソースプール、共通計算リソースプール、ネットワーク交換処理リソースプールは、外部に対していずれも高速インターフェースを介してデータ交換を行う。ここで、高速インターフェースは、伝送レートが５００ＭＢ／ｓおよびそれ以上のレートのインターフェースであってもよく、例えば、高速インターフェースは共通の公衆無線インターフェースＣＰＲＩであってもよく、イーサネットインターフェースであってもよい。
【００２５】
上述した通信装置に基づき、以下の実施例を提供する。
【００２６】
本実施例は通信装置を提供し、図１は、本実施例に係る通信装置の構成模式図である。図１に示すように、該装置は、第１のクロック管理リソースプール１０３と、第１の電源管理リソースプール１０５と、第１のベースバンドリソースプール１０１と、第１の共通計算リソースプール１０２と、第１のネットワーク交換処理リソースプール１０４とを備える。
【００２７】
ここで、前記第１のベースバンドリソースプール１０１と前記第１の共通計算リソースプール１０２とは通信接続を形成し、例えば、前記第１のベースバンドリソースプール１０１と前記第１の共通計算リソースプール１０２とはイーサネットを介して接続され得る。
【００２８】
例えば、第１のベースバンドリソースプール１０１はベースバンドの上り・下りリソースの処理を担当するために用いられ、実際に実施する際に、該第１のベースバンドリソースプール１０１は少なくとも１つのベースバンド処理ユニット１０１１から構成されてもよく、ベースバンド処理ユニットはベースバンド信号の処理を行うために使用できる。
【００２９】
図２は、本実施例の第１のベースバンドリソースプールの構成図であり、図２に示すように、第１のベースバンドリソースプールにおけるベースバンド処理ユニットの数が２以上である場合、各ベースバンド処理ユニットは相互接続できる。例えば、各ベースバンド処理ユニットの間は、第１のイーサネット交換チップ２０１を介して内部相互接続を行うことができ、各ベースバンド処理ユニットにはｎ個の光ファイバインターフェースが設けられてもよく、ｎは１以上の整数である。図２において、ベースバンド処理ユニット１〜ベースバンド処理ユニット４は、それぞれ異なる４つのベースバンド処理ユニットを表し、第１のイーサネット交換チップ２０１およびベースバンド処理ユニットのインターフェースは、２Ｘ、４Ｘまたは８Ｘ等であってもよい。
【００３０】
図３は、本実施例に係るベースバンド処理ユニットの構造模式図であり、図３に示すように、ベースバンド処理ユニットは、少なくとも１つのベースバンドチップ３０１と、第１のプログラマブルロジックデバイス（Ｆｉｅｌｄ  Ｐｒｏｇｒａｍｍａｂｌｅ  ＧａｔｅＡｒｒａｙ、ＦＰＧＡ）３０２と、第１の消去可能プログラマブルロジックデバイス（Ｅｒａｓａｂｌｅ  Ｐｒｏｇｒａｍｍａｂｌｅ  Ｌｏｇｉｃ  Ｄｅｖｉｃｅ、ＥＰＬＤ）３０３と、第１のＦｌａｓｈメモリ３０４および第１の中央処理装置（Ｃｅｎｔｒａｌ  Ｐｒｏｃｅｓｓｉｎｇ  Ｕｎｉｔ、ＣＰＵ）３０５とを備え、ベースバンド処理ユニットにおけるデバイスは、第２のイーサネット交換チップ３０６を介して相互接続およびデータ転送・交換を行うことができ、ここでの第２のイーサネット交換チップ３０６は、大容量イーサネット交換チップであってもよい。ベースバンド処理ユニットは、外部に対して複数の光モジュールインターフェース（すなわち、図２における光ファイバインターフェース）を提供することができ、ここで、光モジュールインターフェースも高速インターフェースに属し、場合によってイーサネットモードまたは共通の公衆無線インターフェース（Ｃｏｍｍｏｎ  Ｐｕｂｌｉｃ  Ｒａｄｉｏ  Ｉｎｔｅｒｆａｃｅ、ＣＰＲＩ）モードに柔軟に配置することができ、ここでの光モジュールインターフェースは、２５Ｇの光モジュールインターフェースまたは５６Ｇの光モジュールインターフェースであってもよい。ベースバンド処理ユニットがイーサネットモードに配置される場合、光モジュールインターフェースおよびイーサネットを介して外部機器に接続することができ、ベースバンド処理ユニットがＣＰＲＩモードに配置される場合、光モジュールインターフェースおよびＣＰＲＩを介して外部機器に接続でき、外部機器はラジオリモートユニット（Ｒａｄｉｏ  Ｒｅｍｏｔｅ  Ｕｎｉｔ、ＲＲＵ）であってもよい。
【００３１】
好ましくは、前記第１のベースバンドリソースプールが処理する必要のあるデータ量、および前記第１のベースバンドリソースプール全体の帯域幅要求に基づき、第１のベースバンドリソースプールにおけるベースバンド処理ユニットの数を予め決定してもよい。ここで、第１のベースバンドリソースプール全体の帯域幅要求は、第１のベースバンドリソースプールが外部とのデータ交換を行う時の帯域幅要求を表すために使用できる。第１のベースバンドリソースプールが処理する必要のあるデータ量が大きければ大きいほど、または第１のベースバンドリソースプール全体の帯域幅要求が大きければ大きいほど、第１のベースバンドリソースプールにおけるベースバンド処理ユニットの数は多くなる。例えば、前記第１のベースバンドリソースプールが処理する必要のあるデータ量、および前記第１のベースバンドリソースプール全体の帯域幅要求に基づき、少なくともＭ１個のベースバンド処理ユニットが必要であると決定すると、第１のベースバンドリソースプールにおけるベースバンド処理ユニットの数はＭ１以上であり、Ｍ１は１以上の整数である。
【００３２】
上述した第１の共通計算リソースプール１０２は、データ計算およびデータ記憶を行うために使用できる。例えば、第１の共通計算リソースプール１０２は、第１のベースバンドリソースプールから送信されたデータを計算し、計算結果を第１のベースバンドリソースプールに送信することができる。
【００３３】
図１に示すように、上述した第１の共通計算リソースプール１０２は少なくとも１つの計算ユニット１０２１から構成されてもよい。第１の共通計算リソースプール１０２における計算ユニットの数が２以上である場合、前記第１の共通計算リソースプール１０２の各計算ユニットの間は相互接続され、例えば、前記第１の共通計算リソースプール１０２の各計算ユニットは、統一したバックプレーンインターフェースを介してデータ交換を行い、あるいは、前記第１の共通計算リソースプール１０２の各計算ユニットは、イーサネット交換チップを介してデータ交換を行う。
【００３４】
図４は、本実施例に係る計算ユニットの構造模式図であり、図４に示すように、計算ユニットは関連するデータ記憶および計算を担当し、記憶サブユニット４０１と、少なくとも１つのＣＰＵ４０２と、管理ＣＰＵ４０３と、第２のＥＰＬＤ４０４と、第２のＦｌａｓｈメモリ４０５と、第３のイーサネット交換チップ４０６とを備えてもよい。ここでの記憶サブユニット４０１は大容量のメモリハードディスクであってもよく、管理ＣＰＵ４０３は第２のＥＰＬＤ４０４と第３のイーサネット交換チップ４０６とを接続するＣＰＵであり、計算ユニットは（Ｄｏｕｂｌｅ  Ｄａｔａ  Ｒａｔｅ、ＤＤＲ）同期型ダイナミックランダムアクセスメモリを更に備えてもよい。図４を参照すると、各ＣＰＵの間は第３のイーサネット交換チップ４０６を介して相互接続されてもよく、各ＣＰＵはいずれも記憶サブユニット４０１に対してデータ読み書き動作を行うことができ、第３のイーサネット交換チップ４０６は光ファイバインターフェースを介して外部と通信できる。
【００３５】
好ましくは、前記第１の共通計算リソースプールが処理する必要のあるデータ量、および前記第１の共通計算リソースプール全体の帯域幅要求に基づき、前記第１の共通計算リソースプールにおける計算ユニットの数を予め決定してもよい。第１の共通計算リソースプールが処理する必要のあるデータ量は、第１の共通計算リソースプールが処理する必要のある計算量を表すために使用でき、第１の共通計算リソースプール全体の帯域幅要求は、第１の共通計算リソースプールが外部とのデータ交換を行う時の帯域幅要求を表すことができる。第１の共通計算リソースプールが処理する必要のあるデータ量が大きければ大きいほど、または第１の共通計算リソースプール全体の帯域幅要求が大きければ大きいほど、第１の共通計算リソースプールにおける計算ユニットの数は多くなる。例えば、第１の共通計算リソースプールが処理する必要のあるデータ量、および前記第１の共通計算リソースプール全体の帯域幅要求に基づき、少なくともＭ２個の計算ユニットが必要であると決定すると、第１の共通計算リソースプールにおける計算ユニットの数はＭ２以上であり、Ｍ２は１以上の整数である。
【００３６】
図１に示すように、第１のクロック管理リソースプール１０３はクロック管理を実現するために用いられ、例えば、前記通信装置における第１のクロック管理リソースプール以外の各リソースプールにそれぞれクロック信号を提供するために用いられ、また、例えば、第１のクロック管理リソースプール１０３は、第１のベースバンドリソースプール１０１、第１の共通計算リソースプール１０２、第１のネットワーク交換処理リソースプール１０４、および第１の電源管理リソースプール１０５にクロックを分配することができる。
【００３７】
好ましくは、第１のクロック管理リソースプール１０３は少なくとも１つのクロック管理ユニット１０３１から構成されてもよい。前記第１のクロック管理リソースプール１０３におけるクロック管理ユニット１０３１の数が２以上である場合、第１のクロック管理リソースプール１０３における各クロック管理ユニットの間は相互接続される。例えば、第１のクロック管理リソースプール１０３の各クロック管理ユニット１０３１は同じバックプレーンに設けられてもよく、各クロック管理ユニット１０３１の間はバックプレーンインターフェースを介して相互接続され、バックプレーンインターフェースによって他のリソースプールにクロックを分配してもよく、あるいは、第１のクロック管理リソースプール１０３の各クロック管理ユニット１０３１の間は、イーサネット交換チップによってデータ交換を行ってもよい。
【００３８】
図５は、本実施例に係るクロック管理ユニットの構造模式図であり、図５に示すように、クロック管理ユニットは、上記通信装置における第１のクロック管理リソースプール以外の各リソースプールにクロックタイミング機能を提供することを担当し、クロック管理ユニットは、クロック補正機能を提供する全地球測位システム（Ｇｌｏｂａｌ  Ｐｏｓｉｔｉｏｎｉｎｇ  Ｓｙｓｔｅｍ、ＧＰＳ）チップ５０１と、クロックモジュール５０２と、クロック信号を生成する第２のＦＰＧＡ５０３と、第３のＥＰＬＤ５０４と、第４のイーサネット交換チップ５０５と、第２のＣＰＵ５０６と、第３のＦｌａｓｈメモリ５０７とを備えてもよく、第２のＦＰＧＡ５０３は、更に複数のクロックインターフェースを提供することができる。ＧＰＳチップ５０１、クロックモジュール５０２、第２のＦＰＧＡ５０３および第２のＣＰＵ５０６は、第４のイーサネット交換チップ５０５を介して相互接続されてもよい。好ましくは、上記通信装置における各リソースプールは同じバックプレーンに設けられてもよく、上記通信装置における各リソースプールのクロックは、クロック管理ユニットが位置するバックプレーンによってクロックの分配を行うことができ、上記通信装置における各リソースプールの間のクロック同期は、電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、ＩＥＥＥ）１５８８の規格によって実現できる。
【００３９】
一般的な場合、第１のクロック管理リソースプール３０１におけるクロック管理ユニット１０３１の数は１であり、通信装置の信頼性を確保するために、複数のクロック管理ユニット１０３１を設けてもよく、そのうちの１つはマスタークロック管理ユニットであり、残りのクロック管理ユニットはバックアップクロック管理ユニットである。
【００４０】
第１のネットワーク交換処理リソースプール１０４は、前記装置におけるネットワーク交換処理リソースプール以外の任意の２つのリソースプールの間のデータ交換を実現するために使用でき、例えば、第１のネットワーク交換処理リソースプール１０４は、前記第１のベースバンドリソースプールと前記第１の共通計算リソースプールとの間のデータ交換を実現するために用いられ、第１のベースバンドリソースプール１０１におけるベースバンド処理ユニットは、ベースバンド処理ユニットのイーサネット交換チップを介して第１のネットワーク交換処理リソースプール１０４に接続することができ、第１の共通計算リソースプール１０２の計算ユニットは、計算ユニットのイーサネット交換チップを介して第１のネットワーク交換処理リソースプールに接続することができ、このように、第１のベースバンドリソースプール１０１と第１の共通計算リソースプール１０２とのデータ交換を実現することができる。
【００４１】
図１に示すように、第１のネットワーク交換処理リソースプール１０４は少なくとも１つのネットワーク交換処理ユニット１０４１から構成されてもよい。前記第１のネットワーク交換処理リソースプール１０４におけるネットワーク交換処理ユニット１０４１の数が２以上である場合、第１のネットワーク交換処理リソースプール１０４における各ネットワーク交換処理ユニット１０４１は相互接続される。例えば、第１のネットワーク交換処理リソースプール１０４における各ネットワーク交換処理ユニット１０４１は、同じバックプレーンインターフェースを介してデータ交換を行い、あるいは、第１のネットワーク交換処理リソースプール１０４における各ネットワーク交換処理ユニット１０４１は、イーサネット交換チップを介してデータ交換を行う。
【００４２】
図６は、一実施例に係る第１のネットワーク交換処理リソースプールの構成図であり、図６に示すように、ネットワーク交換ユニットは、第１のベースバンドリソースプール１０１と第１の共通計算リソースプール１０２との間のデータ交換を実現するために用いられる。第１のネットワーク交換処理リソースプール１０４におけるネットワーク交換処理ユニットの数が２以上である場合、各ネットワーク交換処理ユニットは相互接続でき、例えば、各ネットワーク交換処理ユニットは、第５のイーサネット交換チップ６０１を介して内部相互接続を行うことができ、各ネットワーク交換処理ユニットには複数の光ファイバインターフェースが設けられてもよい。第５のイーサネット交換チップ６０１は、前記ベースバンド処理ユニットのイーサネット交換チップおよび計算ユニットのイーサネット交換チップにそれぞれ接続されてもよい。図６において、ネットワーク交換処理ユニット１〜ネットワーク交処理ユニット４は、それぞれ異なる４つのネットワーク交換処理ユニットを表し、第５のイーサネット交換チップ６０１およびネットワーク交換処理ユニットのインターフェースは、２Ｘ、４Ｘまたは８Ｘ等であってもよい。実際に実施する際に、第１のネットワーク交換処理リソースプール１０４はＦＰＧＡ、ＥＰＬＤ、ＣＰＵおよびＦｌａｓｈメモリ等を更に備えてもよい。
【００４３】
好ましくは、前記第１のベースバンドリソースプールと前記第１の共通計算リソースプールとのデータ交換の流量、および第１のネットワーク交換処理リソースプール全体の帯域幅要求に基づき、第１のネットワーク交換処理リソースプールにおけるネットワーク交換処理ユニットの数を予め決定することができる。ここで、第１のベースバンドリソースプールと前記第１の共通計算リソースプールとのデータ交換の流量が大きければ大きいほど、または第１のネットワーク交換処理リソースプール全体の帯域幅要求が大きければ大きいほど、第１のネットワーク交換リソースプールにおけるネットワーク交換処理ユニットの数は多くなる。例えば、第１の共通計算リソースプールが処理する必要のあるデータ量、および前記第１のネットワーク交換処理リソースプール全体の帯域幅要求に基づき、少なくともＭ３個のネットワーク交換処理ユニットが必要であると決定すると、第１のネットワーク交換処理リソースプールにおけるネットワーク交換処理ユニットの数はＭ３以上であり、Ｍ３は１以上の整数である。
【００４４】
第１の電源管理リソースプール１０５は、前記装置における第１の電源管理リソースプール以外の各リソースプールにそれぞれ電源を提供するために用いられ、例えば、第１の電源管理リソースプール１０５は、第１のベースバンドリソースプール１０１、第１の共通計算リソースプール１０２、第１のクロック管理リソースプール１０３および第１のネットワーク交換処理リソースプール１０４に給電機能および電源制御機能を提供することができる。
【００４５】
図１に示すように、第１の電源管理リソースプール１０５は少なくとも１つの電源管理ユニット１０５１から構成されてもよく、前記第１の電源管理リソースプール１０５における電源管理ユニットの数が２以上である場合、前記第１の電源管理リソースプール１０５における各電源管理ユニットは相互接続され、例えば、第１の電源管理リソースプール１０５の各電源管理ユニットは同じバックプレーンに設けられてもよく、電源管理ユニットの間は、同じバックプレーンインターフェースを介して相互接続され、バックプレーンインターフェースを介して他のリソースプールに給電することができ、第１の電源管理リソースプール１０５の各電源管理ユニットはネットワーク交換処理ユニットを介して相互接続されてもよい。
【００４６】
ここで、電源管理ユニットは、通信装置を給電し、通信装置の関連電源に対する制御を実現するように構成されてもよい。
【００４７】
好ましくは、通信装置全体の電力要求に基づき、第１の電源管理リソースプールにおける電源管理ユニットの数を予め決定することができる。通信装置全体の電力要求が大きければ大きいほど、第１の電源管理リソースプールにおける電源管理ユニットの数は多くなる。例えば、通信装置の合計の電力要求に基づき、少なくともＭ４個の電源管理ユニットが必要であると決定すると、第１の電源管理リソースプールにおける電源管理ユニットの数はＭ４以上であり、Ｍ４は１以上の整数である。
【００４８】
好ましくは、上記第１のクロック管理リソースプール１０３における各クロック管理ユニット、第１のベースバンドリソースプール１０１における各ベースバンド処理ユニット、第１の共通計算リソースプール１０２における各計算ユニット、第１のネットワーク交換処理リソースプール１０４における各ネットワーク交換処理ユニットは、いずれも同じバックプレーンインターフェースを有し、該バックプレーンインターフェースはイーサネットインターフェースであってもよく、高速信号線で外部機器に接続する高速インターフェースであってもよい。
【００４９】
好ましくは、クロック管理リソースプールにおける各クロック管理ユニットは、ネットワーク交換処理ユニットを介して各クロック管理ユニットの間の相互接続を行い、データ交換を実現してもよい。電源管理リソースプールにおける各電源管理ユニットは、ネットワーク交換処理ユニットを介して各電源管理ユニットの間の相互接続を行い、データ交換を実現してもよい。ベースバンドリソースプールにおける各ベースバンド処理ユニットは、ネットワーク交換処理ユニットを介して各ベースバンド処理ユニットの間の相互接続を行い、データ交換を実現してもよい。共通計算リソースプールにおける各計算ユニットは、ネットワーク交換処理ユニットを介して各計算ユニットの間の相互接続を行い、データ交換を実現してもよい。
【００５０】
図１を参照すると、上述した通信装置は、ＩＴ−ベースバンド処理ユニット（Ｂｕｉｌｄｉｎｇ  Ｂａｓｅｂａｎｄ  Ｕｎｉｔ、ＢＢＵ）アーキテクチャに基づく通信装置であり、５Ｇ通信システムに適用できる。本実施例において、上記通信装置の各リソースプールの間の通信に対する統一管理を実現し、ここで、第１のクロック管理リソースプールおよび第１の電源管理リソースプールは共通リソースプールに属し、バックプレーンを用いてデータ分配および交換を行い、他のリソースプールに時間および電源管理を提供する。第１のベースバンドリソースプールおよび第１の共通計算リソースプールは専用リソースプールに属し、ネットワーク交換リソースプールによってデータ分配および交換を行う。
【００５１】
ここで、前記通信装置における複数のリソースプールは集中配置されてもよく、分散的に配置されてもよい。
【００５２】
実際適用の要求に応じて上記通信装置における複数のユニットの組み合わせ配置方法を予め決定してもよく、ここでの組み合わせ配置方法は、上記通信装置における各ユニットの配置位置を表すために使用され、例えば、組み合わせ配置方法は、上記通信装置における任意の２つのユニットを集中配置することを指示し、例えば、組み合わせ配置方法は、第１のベースバンドリソースプールにおける１つのベースバンド処理ユニットと第１の共通計算リソースプールにおける１つの計算リソースプールとを同じ位置に集中配置することを指示することができる。ここでの実際適用の要求はネットワーク構成シーンの要求であってもよく、例えば、複数の計算ユニットを含むカスタマイズサーバの場合、ネットワーク構成シーンの要求は、複数の計算ユニットを集中配置することでカスタマイズサーバを形成することであってもよい。複数のネットワーク交換処理ユニットの集中連携交換デバイスの場合、ネットワーク構成シーンの要求は、複数のネットワーク交換処理ユニットを集中配置することで集中連携交換デバイスの配置を形成することであってもよい。ＢＢＵ分散型基地局の場合、ネットワーク構成シーンの要求は、複数のベースバンド処理ユニット、１つのクロック管理ユニットおよび１つのネットワーク交換処理ユニットを集中配置することでＢＢＵ分散型基地局を形成することであってもよい。
【００５３】
図７は、本実施例に係るＩＴ−ＢＢＵ集中配置基地局の１つの好ましい構造模式図であり、図７に示すように、ＩＴ−ＢＢＵ集中配置基地局７０１は、第１の部分および第２の部分を含んでもよく、ここで、各部分はいずれも複数のベースバンド処理ユニットおよび２つのネットワーク交換処理ユニットを備え、各部分の２つのネットワーク交換処理ユニットは、伝送ネットワークを介して相互接続されてもよく、第１の部分のいずれかのネットワーク交換処理ユニットと第２の部分のいずれかのネットワーク交換処理ユニットとは、連携ネットワークを介して相互接続されてもよい。
【００５４】
図７に示すＩＴ−ＢＢＵ集中配置基地局の場合、ネットワーク構成シーンの要求は、ベースバンド処理ユニットおよびネットワーク交換処理ユニットをＩＴ−ＢＢＵ集中配置基地局の構造に従って配置することであってもよい。
【００５５】
好ましくは、前記装置における各リソースプールを配置するための筐体のパラメータは、予め配置されたパラメータであり、前記パラメータは筐体の数および筐体のサイズを含んでもよい。各リソースプールは筐体に配置されてもよく、前記装置における各リソースプールを配置するための筐体のパラメータは、外形仕様パラメータであってもよく、例えば、前記装置における各リソースプールを配置するための筐体のパラメータは、１Ｕ、２Ｕ、４Ｕおよび６Ｕ等であってもよく、ここで、Ｕは筐体の外寸の単位を表し、前記装置における各リソースプールを配置するための筐体のパラメータが外形仕様パラメータである場合、前記装置における各リソースプールを配置するための筐体のパラメータは、各リソースプールの占有空間によって決定され得る。例えば、いずれかのリソースプールの占有空間に基づき、前記装置におけるリソースプールに対応する筐体のパラメータが少なくとも２Ｕであると決定した場合、前記装置におけるリソースプールに対応する筐体のパラメータは２Ｕ、４Ｕまたは６Ｕであってもよい。
【００５６】
更に、以下のパラメータのうちの１つまたは複数は、いずれもソフトウェアによって柔軟に配置され得る。
１）ネットワーク構成シーンの要求、
２）前記装置における各リソースプールを配置するための筐体のパラメータ、
３）第１のベースバンドリソースプールにおけるベースバンド処理ユニットの数、
４）第１のクロック管理リソースプールにおけるクロック管理ユニットの数、
５）第１のネットワーク交換処理リソースプールにおけるネットワーク交換処理ユニットの数、
６）第１の共通計算リソースプールにおける計算ユニットの数、
７）第１のクロック管理リソースプールにおけるクロック管理ユニットの数
【００５７】
本実施例の通信装置において、各リソースプールを定義し、且つ、各リソースプールを相互接続し、新規なＩＴ仮想化アーキテクチャプラットフォームに基づき、関連するリソースを柔軟に配置して管理することができ、柔軟なパラメータ配置によって異なるネットワーク構成の要求およびネットワーク配置を満たすことができ、将来の大流量、高帯域幅、低遅延の通信ネットワークに対する要求を良好に満たすことができると同時に、無線ネットワークと有線ネットワークとの融合を良好に実現し、将来の柔軟なネットワーク構成の要求を満たし、将来では競争力が非常に高い。
【００５８】
本実施例に係る使用シーンは、基地局配置を採用した低周波マクロ基地局と有線ネットワークとを共に集中式機械室に配置し、好ましくは、ここでの低周波マクロ基地局は５Ｇネットワークの低周波マクロ基地局であることを含んでもよい。
【００５９】
実際の使用シーンは、同じセルのアンテナ数が５１２以上、セルの帯域幅が２００Ｍまで、ピークレートが２０Ｇｂｐｓのレートに達することができ、ユーザー体験レートのマクロカバレッジが１Ｇｂｐｓまで、ホットスポットのカバレッジが３００Ｍｂｐｓまでに達することを更に含んでもよい。
【００６０】
実際の使用シーンに応じ、第１のベースバンドリソースプール、第１の共通計算リソースプール、第１のクロック管理リソースプール、第１のネットワーク交換処理リソースプールおよび第１の電源管理リソースプールを定義し、且つ、対応するパラメータを配置してもよい。ネットワーク構成シーンは、図７に示すＩＴ−ＢＢＵ集中配置基地局のネットワーク構成シーンであってもよく、２０個のベースバンド処理ユニット、４つのネットワーク交換処理ユニット、１つの計算ユニット、３つの電源管理ユニット、４つのクロック管理ユニットが設けられ、前記装置における各リソースプールを配置するための筐体のパラメータは６Ｕである。ここで、２０個のベースバンド処理ユニットは２つの６Ｕ筐体に設けられてもよく、４つのネットワーク交換処理ユニットは２つの６Ｕ筐体に設けられてもよく、４つのクロック管理ユニットは２つの６Ｕ筐体に設けられてもよく、３つの電源管理ユニットは３つの６Ｕ筐体に設けられてもよく、１つの計算ユニットは１つの６Ｕ筐体に設けられてもよい。
【００６１】
本実施例は通信装置を更に提供し、図８は、本実施例に係る通信装置の構成模式図であり、図８に示すように、該装置は、第２のクロック管理リソースプール８０１と、第２の電源管理リソースプール８０２と、第２のベースバンドリソースプール８０３とを備えてもよい。
【００６２】
例えば、第２のベースバンドリソースプール８０３は、ベースバンドの上下りリソースの処理を担当するために用いられ、第２のクロック管理リソースプール８０１は、クロック管理を実現するために用いられ、第２の電源管理リソースプール８０２および第２のベースバンドリソースプール８０３にそれぞれクロック信号を提供することができ、第２の電源管理リソースプール８０２は、第２のクロック管理リソースプール８０１および第２のベースバンドリソースプール８０３にそれぞれ電源を提供するために用いられる。
【００６３】
該第２のベースバンドリソースプール８０３は少なくとも１つのベースバンド処理ユニットから構成されてもよく、ベースバンド処理ユニットはベースバンド信号の処理を行うために使用でき、第２のクロック管理リソースプール８０１は少なくとも１つのクロック管理ユニットから構成されてもよく、クロック管理ユニットはクロック分配およびクロック管理機能を実現することができ、第２の電源管理リソースプール８０２は少なくとも１つの電源管理ユニットから構成されてもよく、電源管理ユニットは、通信装置を給電し、通信装置の関連電源に対する制御を実現するために用いられる。
【００６４】
ここで、第２のベースバンドリソースプール８０３と第１のベースバンドリソースプール１０１とは実現形態が同じであり、第２のクロック管理リソースプール８０１と第１のクロック管理リソースプール１０３とは実現形態が同じであり、第２の電源管理リソースプール８０２と第１の電源管理リソースプール１０５とは実現形態が同じであり、ここで説明を省略する。
【００６５】
本実施例に係る通信装置において、各リソースプールを定義し、且つ、各リソースプールを相互接続し、新規なＩＴ仮想化アーキテクチャプラットフォームに基づき、関連するリソースを柔軟に配置して管理することができ、柔軟なパラメータ配置によって異なるネットワーク構成の要求およびネットワーク配置を満たすことができ、将来の大流量、高帯域幅、低遅延の通信ネットワークに対する要求を満たすことができると同時に、無線ネットワークと有線ネットワークとの融合を良好に実現し、将来の柔軟なネットワーク構成の要求を満たし、将来では競争力が非常に高い。
【００６６】
本実施例は通信装置を更に提供し、図９は、本実施例に係る通信装置の構成模式図であり、図９に示すように、該装置は、第３のクロック管理リソースプール９０１と、第３の電源管理リソースプール９０２と、第３のベースバンドリソースプール９０３と、第３のネットワーク交換処理リソースプール９０４とを備えてもよい。
【００６７】
ここで、第３のベースバンドリソースプール９０３は、ベースバンドの上下りリソースの処理を担当するために用いられ、第３のクロック管理リソースプール９０１は、クロック管理を実現するために用いられ、第３の電源管理リソースプール９０２、第３のベースバンドリソースプール９０３および第３のネットワーク交換処理リソースプール９０４にそれぞれクロック信号を提供することができ、第３の電源管理リソースプール９０２は、第３のクロック管理リソースプール９０１、第３のベースバンドリソースプール９０３および第３のネットワーク交換処理リソースプール９０４に電源を提供するために用いられ、第３のネットワーク交換処理リソースプール９０４は、残りの任意の２つのリソースプールの間のデータ交換を実現するために使用できる。
【００６８】
第３のベースバンドリソースプール９０３は少なくとも１つのベースバンド処理ユニットから構成されてもよく、ベースバンド処理ユニットはベースバンド信号の処理を行うために使用でき、第３のクロック管理リソースプール９０１は少なくとも１つのクロック管理ユニットから構成されてもよく、クロック管理ユニットは、クロック分配およびクロック管理機能を実現することができ、第３の電源管理リソースプール９０２は少なくとも１つの電源管理ユニットから構成されてもよく、電源管理ユニットは、上記通信装置を給電し、通信装置の関連電源に対する制御を実現するために用いられ、第３のネットワーク交換処理リソースプール９０４は少なくとも１つのネットワーク交換処理ユニットから構成されてもよい。
【００６９】
ここで、第３のベースバンドリソースプール９０３と第１のベースバンドリソースプール１０１とは実現形態が同じであり、第３のクロック管理リソースプール９０１と第１のクロック管理リソースプール１０３とは実現形態が同じであり、第３の電源管理リソースプール９０２と第１の電源管理リソースプール１０５とは実現形態が同じであり、第３のネットワーク交換処理リソースプール９０４と第１のネットワーク交換処理リソースプール１０４とは実現形態が同じであり、ここで説明を省略する。
【００７０】
本実施例に係る通信装置において、各リソースプールを定義し、且つ、各リソースプールを相互接続し、新規なＩＴ仮想化アーキテクチャプラットフォームに基づき、関連するリソースを柔軟に配置して管理することができ、柔軟なパラメータ配置によって異なるネットワーク構成の要求およびネットワーク配置を満たすことができ、将来の大流量、高帯域幅、低遅延の通信ネットワークに対する要求を満たすと同時に、無線ネットワークと有線ネットワークとの融合を良好に実現し、将来の柔軟なネットワーク構成の要求を満たし、将来では競争力が非常に高い。
【００７１】
本実施例は通信装置を更に提供し、図１０は、本実施例に係る通信装置の構成模式図であり、図１０に示すように、該装置は、第４のクロック管理リソースプール１００１と、第４の電源管理リソースプール１００２と、第４の共通計算リソースプール１００３とを備えてもよい。
【００７２】
例えば、第４の共通計算リソースプール１００３は、データ計算およびデータ記憶を行うために使用でき、第４のクロック管理リソースプール１００１は、クロック管理を実現するために用いられ、第４の電源管理リソースプール１００２および第４の共通計算リソースプール１００３にそれぞれクロック信号を提供することができ、第４の電源管理リソースプール１００２は、第４のクロック管理リソースプール１００１および第４の共通計算リソースプール１００３にそれぞれ電源を提供するために用いられる。
【００７３】
好ましくは、該第４の共通計算リソースプール１００３は少なくとも１つの計算ユニットから構成されてもよく、上述した第４のクロック管理リソースプール１００１は少なくとも１つのクロック管理ユニットから構成されてもよく、クロック管理ユニットは、クロック分配およびクロック管理機能を実現することができ、第４の電源管理リソースプール１００２は少なくとも１つの電源管理ユニットから構成されてもよく、電源管理ユニットは、上記通信装置を給電し、上記通信装置の関連電源に対する制御を実現するために用いられる。
【００７４】
ここで、第４の共通計算リソースプール１００３と第１の共通計算リソースプール１０２とは実現形態が同じであり、第４のクロック管理リソースプール１００１と第１のクロック管理リソースプール１０３とは実現形態が同じであり、第４の電源管理リソースプール１００２と第１の電源管理リソースプール１０５とは実現形態が同じであり、ここで説明を省略する。
【００７５】
本実施例に係る通信装置において、各リソースプールを定義し、且つ、各リソースプールを相互接続し、新規なＩＴ仮想化アーキテクチャプラットフォームに基づき、関連するリソースを柔軟に配置して管理することができ、柔軟なパラメータ配置によって異なるネットワーク構成の要求およびネットワーク配置を満たすことができ、将来の大流量、高帯域幅、低遅延の通信ネットワークに対する要求を満たすと同時に、無線ネットワークと有線ネットワークとの融合を良好に実現し、将来の柔軟なネットワーク構成の要求を満たし、将来では競争力が非常に高い。
【００７６】
上記実施例に係る通信装置によれば、本実施例は通信装置のデータ処理方法を更に提供し、前記装置は、クロック管理リソースプールと、電源管理リソースプールと、ベースバンドリソースプールと、共通計算リソースプールと、ネットワーク交換処理リソースプールとを備えてもよい。前記ベースバンドリソースプールは少なくとも１つのベースバンド処理ユニットを備えてもよく、前記共通計算リソースプールは少なくとも１つの計算ユニットを備えてもよく、前記クロック管理リソースプールは少なくとも１つのクロック管理ユニットを備えてもよく、前記ネットワーク交換処理リソースプールは少なくとも１つのネットワーク交換処理ユニットを備えてもよく、前記電源管理リソースプールは少なくとも１つの電源管理ユニットを備えてもよい。
【００７７】
図１１は、本実施例に係る通信装置のデータ処理方法のフローチャートであり、図１１に示すように、該フローは以下のステップを含んでもよい。
【００７８】
ステップ１１０において、ベースバンドリソースプールの少なくとも１つのベースバンド処理ユニットはベースバンド信号の処理を行い、ベースバンド信号の処理時に外部で計算する必要のあるデータを、ネットワーク交換処理リソースプールを介して共通計算リソースプールの少なくとも１つの計算ユニットに送信する。
【００７９】
例えば、ベースバンド処理ユニットは、ネットワーク交換処理ユニットを介してデータを共通計算リソースプールの少なくとも１つの計算ユニットに送信することができる。好ましくは、ベースバンド処理ユニットは、更に、データの計算方式を上記共通計算リソースプールの少なくとも１つの計算ユニットに送信することができ、共通計算リソースプールの各計算ユニットのデータ計算方式は予め約束された計算方式であってもよい。
【００８０】
好ましくは、各ベースバンド処理ユニットは、ベースバンド信号の処理を行う時のデータ処理量に基づき、共通計算リソースプールを使用する必要があるか否かを決定し、更に、使用する必要のある共通計算リソースプールの計算ユニット数を決定することができる。
【００８１】
ステップ１２０において、前記共通計算リソースプールの少なくとも１つの計算ユニットは、受信されたデータを計算し、計算結果をネットワーク交換処理リソースプールによって対応するベースバンド処理ユニットに返信する。
【００８２】
例えば、各計算ユニットは、ネットワーク交換処理ユニットによって計算結果を対応するベースバンド処理ユニットに送信することができる。
【００８３】
ステップ１３０において、対応するベースバンド処理ユニットは計算結果を受信すると、計算結果に基づいてベースバンド信号の処理を行い、対応するベースバンド信号の処理結果を得る。
【００８４】
好ましくは、上記通信装置のデータ処理方法は、前記クロック管理リソースプールが、前記装置におけるクロック管理リソースプール以外の各リソースプールにそれぞれクロック信号を提供し、前記電源管理リソースプールが、前記装置における電源管理リソースプール以外の各リソースプールにそれぞれ電源を提供することを更に含む。
【００８５】
本実施例に係る内容は、方法、システム、またはコンピュータプログラム製品として提供され得る。そのため、本実施例は、ハードウェアの実施例、ソフトウェアの実施例、またはソフトウェアとハードウェアとを組み合わせた実施例の形式を採用することができる。更に、本実施例は、コンピュータ使用可能プログラムコードを含む１つまたは複数のコンピュータ使用可能記憶媒体（磁気ディスクメモリおよび光学的メモリ等）で実施されるコンピュータプログラム製品の形式を採用してもよい。
【００８６】
上記実施例は、実施例に係る方法、機器（システム）、およびコンピュータプログラム製品のフローチャートおよび／またはブロック図に基づいて説明されたものである。コンピュータプログラム命令により、フローチャートおよび／またはブロック図における各フローおよび／またはブロック、およびフローチャートおよび／またはブロック図におけるフローおよび／またはブロックの組み合わせを実現することができる。これらのコンピュータプログラム命令を共通コンピュータ、専用コンピュータ、嵌め込み式プロセッサまたは他のプログラマブルデータ処理装置のプロセッサに提供して１つのマシンを発生することができ、これにより、コンピュータまたは他のプログラマブルデータ処理装置のプロセッサによって実行される命令は、フローチャートの１つのフローまたは複数のフロー、および／またはブロック図の１つのブロックまたは複数のブロックにおいて指定された機能を実現するための装置を発生する。
【００８７】
これらのコンピュータプログラム命令は、コンピュータまたは他のプログラマブルデータ処理装置を特定の方式で動作するように導き可能なコンピュータ可読メモリに記憶されてもよく、これにより、該コンピュータ可読メモリに記憶された命令は、フローチャートの１つのフローまたは複数のフロー、および／またはブロック図の１つのブロックまたは複数のブロックにおいて指定された機能を実現する命令装置を含む製造品を発生する。
【００８８】
これらのコンピュータプログラム命令は、コンピュータまたは他のプログラマブルデータ処理装置にロードされてもよく、コンピュータまたは他のプログラマブルデバイスで一連の操作ステップを実行することでコンピュータによって実現される処理を生成し、それにより、コンピュータまたは他のプログラマブルデバイスで実行される命令は、フローチャートの１つのフローまたは複数のフロー、および／またはブロック図の１つのブロックまたは複数のブロックにおいて指定された機能を実現するためのステップを提供する。
【産業上の利用可能性】
【００８９】
本開示に係る通信装置および基地局は、各リソースプールを定義し、且つ、各リソースプールを相互接続し、新規のＩＴ仮想化アーキテクチャプラットフォームに基づき、関連するリソースを柔軟に配置して管理することができ、柔軟なパラメータ配置によって異なるネットワーク構成の要求およびネットワーク配置を満たすことができ、将来の大流量、高帯域幅、低遅延の通信ネットワークに対する要求を満たすことができると同時に、無線ネットワークと有線ネットワークとの融合を良好に実現することができ、将来の柔軟なネットワーク構成の要求を満たし、将来では競争力が非常に高い。
【図１】
0006883654.tif 000002
【図２】
0006883654.tif 000003
【図３】
0006883654.tif 000004
【図４】
0006883654.tif 000005
【図５】
0006883654.tif 000006
【図６】
0006883654.tif 000007
【図７】
0006883654.tif 000008
【図８】
0006883654.tif 000009
【図９】
0006883654.tif 000010
【図１０】
0006883654.tif 000011
【図１１】
0006883654.tif 000012